(57)【要約】【課題】 スポンジボールの中空部の中に美肌効果に良いシャーベット状の物質成分を入れたものを、誰でも簡単に浴槽に入れて使用したり、又、軽く押さえながら物質成分を放出し、顔や身体に優しく塗布出来、経済的な美肌ボールを開発・提供するものである。【解決手段】 外観形状が球形状で、内部に球形状の中空部を有し、且つ、素材がスポンジ等の多孔軟質ゴムで形成したボールを設け、且つ、該ボールの表面全域に表面から中空部に向けて複数の貫通穴を設け、且つ、該ボールの中空部にナトリウムやカリウムやサナトリウムやマグネシウムやカルシウムやリンや竹炭等の泉質成分（２）を充填内蔵して設けたものである。【選択図】 図１
2005154300.tif 000002
【特許請求の範囲】
【請求項１】
人間の顔や身体等の肌部に塗布して美肌を育成する美容用具であって、外観形状が球形状で、内部に球形状の中空部（１ａ）を有し、且つ、素材がスポンジ等の多孔軟質ゴムで形成したボール（１）を設け、且つ、該ボール（１）の表面全域に表面から中空部に向けて複数の貫通穴（１ｂ）を設け、且つ、該ボール（１）の中空部（１ａ）にナトリウム（Ｎａ）やカリウム（Ｋ）やサナトリウム（Ｓａ）やマグネシウム（Ｍｇ）やカルシウム（Ｃａ）やリン（Ｐ）や竹炭（ＢＣ）等の泉質成分（２）を充填内蔵して設けた事を特徴とする美肌ボール（Ｂ）。
【請求項２】
外観形状が多角形状・四角形状又は円柱形状で、内部に球形状の中空部（１ａ’）を有し、且つ、素材がスポンジ等の多孔軟質ゴムで形成した多方体・直方体又は円柱体（１’）を設け、且つ、該多方体・直方体又は円柱体（１’）の表面全域に表面から中空部に向けて複数の貫通穴（１ｂ’）を設け、且つ、該多方体・直方体又は円柱体（１’）の中空部（１ａ’）にナトリウム（Ｎａ）やカリウム（Ｋ）やサナトリウム（Ｓａ）やマグネシウム（Ｍｇ）やカルシウム（Ｃａ）やリン（Ｐ）や竹炭（ＢＣ）等の泉質成分（２）を充填内蔵して設けた事を特徴とする請求項１記載の美肌ボール（Ｂ’）。
【発明の詳細な説明】
【技術分野】
【０００１】
この発明は、人間の顔や身体等の肌部に塗布して肌を美しく育成する美肌ボールに関するものである。
【背景技術】
【０００２】
従来、美容院やエステ等で行われている化粧方法は、美肌に良いと言われる含成分の泥を固形化若しくは、半練りにして直接肌に塗布し、マッサージ等を行い使用している。
【０００３】
又、泥美容としては、温泉等の浴槽に泥を入れて身体を沈めて肌に接し、その後泥を落として美肌効果としている。
【０００４】
又、肌を美しくする為の美肌育成用具としては、内部に高周波電派の発生手段を設けた敷布団や、超音波やガルバニック電流を肌に浸透させて手入れをするものや、肌に研削粉末を充填しながら手入れをするものや、レーザ光を照射させるもの等、様々な考案がなされている。（例えば、特許文献１〜５参照。）
【特許文献１】特許公開２０００−１２５９９３
【特許文献２】特許公開２０００−２３３００９
【特許文献３】特許公開２０００−３１６９９０
【特許文献４】特許公開２０００−３２５３５２
【特許文献５】特許公開２０００−３３４０５０
【０００５】
しかしながら、これらは何れも顔又は身体専用のものであって、顔と身体の両方に使用出来るものではなく、コスト的にも効果なものが多い。
【発明の開示】
【発明が解決しようとする課題】
【０００６】
そこで、この発明は上記課題を達成する為に、スポンジボールの中空部の中に美肌効果に良いシャーベット状の物質成分を入れたものを、誰でも簡単に浴槽に入れて使用したり、又、軽く押さえながら物質成分を放出し、顔や身体に優しく塗布出来、経済的な美肌ボールを開発・提供するものである。
【課題を解決するための手段】
【０００７】
この課題を解決する為の手段として、この発明は外観形状が球形状で、内部に球形状の中空部を有し、且つ、素材がスポンジ等の多孔軟質ゴムで形成したボールを設け、且つ、該ボールの表面全域に表面から中空部に向けて複数の貫通穴を設け、且つ、該ボールの中空部にナトリウムやカリウムやサナトリウムやマグネシウムやカルシウムやリンや竹炭等の泉質成分（２）を充填内蔵して設けたものである。
【発明の効果】
【０００８】
この発明の効果として、外観形状が球形状で、内部に球形状の中空部を有し、且つ、素材がスポンジ等の多孔軟質ゴムで形成したボールを設け、且つ、該ボールの表面全域に表面から中空部に向けて複数の貫通穴を設け、且つ、該ボールの中空部にナトリウムやカリウムやサナトリウムやマグネシウムやカルシウムやリンや竹炭等の泉質成分（２）をシャーベット状に充填内蔵して設けたスポンジボールを浴槽に入れて使用したり、又、軽く押さえながら物質成分を放出し、顔や身体に優しく塗布する事でつるつるの美肌を育成し、更には温泉効能同様に慢性皮膚病や関節病や貧血や便秘症等様々な健康回復にも効果がある。
【発明を実施するための最良の形態】
【０００９】
この発明を実施する為の最良の形態としては、温泉等の効能と同様に洗浄性・脱色性・保湿性・栄養性等の効能を全て発揮させる為にも美肌ボール（Ｂ）を浴槽（ＢＡ）に入れて使用する方がより効果的である。
【実施例１】
【００１０】
そこで、この発明の一実施例を図１に従って詳述すると、外観形状が球形状で、内部に球形状の中空部（１ａ）を有し、且つ、素材がスポンジ等の多孔軟質ゴムで形成したボール（１）を設け、且つ、該ボール（１）の表面全域に表面から中空部に向けて複数の貫通穴（１ｂ）を設け、且つ、該ボール（１）の中空部（１ａ）にナトリウム（Ｎａ）やカリウム（Ｋ）やサナトリウム（Ｓａ）やマグネシウム（Ｍｇ）やカルシウム（Ｃａ）やリン（Ｐ）や竹炭（ＢＣ）等の泉質成分（２）を充填内蔵して設けた事を特徴とする美肌ボール（Ｂ）から構成されている。
【００１１】
次に、この発明のスポンジボール（１）の寸法形状について説明すると、外径寸法は直径が約７０ｍｍで、スポンジボールの肉厚寸法が約１０ｍｍで、表面全域に表面から中空部に向けて直径約２ｍｍ程度の貫通穴（１ｂ）が設けられている。
【００１２】
そして、スポンジボールの中空部（１ａ）には、ナトリウム（Ｎａ）やカリウム（Ｋ）やサナトリウム（Ｓａ）やマグネシウム（Ｍｇ）やカルシウム（Ｃａ）やリン（Ｐ）や竹炭（ＢＣ）等の泉質成分（２）をシャーベット状に充填内蔵している。
【００１３】
次に、この発明の使用方法について説明すると、図２に示す様に複数の美肌ボール（Ｂ）を浴槽の中に入れて、身体全体を浴槽（ＢＡ）に浸しながら使用したり、又、美肌ボール（Ｂ）を直接手に持って、軽く押さえながら顔や身体等をマッサージしながらボール内の成分を放出し、優しく塗布する事もできる。
【産業上の利用可能性】
【００１４】
この発明の美肌ボール（Ｂ）は、美肌を育成するのみならず、健康回復等にも役立ち、男女は問わず、子供から老人に至るまでの全ての人に効能を発揮する点で産業上の利用可能性を有する。
【図面の簡単な説明】
【００１５】
【図１】この発明の一実施例を示し、一部欠截正面図である。
【図２】この発明の使用例を示し、斜視図である。
【符号の説明】
【００１６】
１      ボール
１’    多方体・直方体又は円柱体
１ａ    中空部
１ａ’  中空部
１ｂ    貫通穴
１ｂ’  貫通穴
２      泉質成分
Ｂ      球形状の美肌ボール
Ｂ’    多角形状・四角形状又は円柱形状の美肌ボール
ＢＡ    浴槽
Ｎａ    ナトリウム
Ｋ      カリウム
Ｓａ    サナトリウム
Ｍｇ    マグネシウム
Ｃａ    カルシウム
Ｐ      リン
ＢＣ    竹炭
【図１】
2005154300.tif 000003
【図２】
2005154300.tif 000004